(57)【特許請求の範囲】
【請求項１】
建物の大梁に小梁を取付ける小梁取付構造において、
小梁の取付端に溶接固定した取付部材を大梁の垂直面にボルト接合し、
前記取付部材が大梁の垂直面にボルト接合される取付片と、取付片の下端から水平に延びる下支持片と、取付片の上端から水平に延びる上支持片とを有し、
小梁の取付端が取付部材の下支持片の上に載る水平片と、水平片の両側から立上がって取付部材の上支持片を両側から挟み込む両側の立上り片とを有し、
小梁の両側の立上り片の下端部の外面を取付部材の下支持片の上面に溶接固定するとともに、小梁の両側の立上り片の上端側の内面を取付部材の上支持片の上面に溶接固定することを特徴とする建物の小梁取付構造。
【請求項２】
前記小梁が角鋼管からなり、該角鋼管の端部の概ね上半部を削除して前記取付端を形成する請求項１に記載の建物の小梁取付構造。
【請求項３】
前記大梁が形鋼からなり、前記取付部材が該形鋼のウエブにボルト接合される請求項１又は２に記載の建物の小梁取付構造。
【請求項４】
前記小梁の取付端が取付部材の取付片に対する取付間隔が、大梁に対する小梁の取付位置調整代とされてなる請求項１〜３のいずれかに記載の建物の小梁取付構造。
【請求項５】
前記大梁及び小梁が建物ユニットを構成する請求項１〜４のいずれかに記載の建物の小梁取付構造。
【発明の詳細な説明】
【技術分野】
【０００１】
本発明は建物ユニットの大梁に小梁を取付ける等、建物の横架材取付構造及び小梁取付構造に関する。
【背景技術】
【０００２】
特許文献１等に記載の建物ユニットでは、図８に示す如く、大梁１に小梁２を取付ける小梁取付構造として、小梁２の取付端に溶接固定したＣ字状取付部材３の上下の取付片を、Ｃ形鋼製大梁１の上下のフランジに載せて溶接固定するものを開示している。
【特許文献１】特開平5-33407
【発明の開示】
【発明が解決しようとする課題】
【０００３】
小梁２の取付部材３を大梁１に溶接固定する従来の取付構造は、溶接に際しての取付部材３の位置決め精度が低くて足り、また溶接肉盛が小さいために取付けの納まりや寸法調整が容易になる利点がある。ところが、大梁が溶接に伴なう熱影響で微妙に変形し、建物ユニットの寸法精度を向上することに困難がある。
【０００４】
尚、溶接に伴なう熱影響を回避するため、図９に示す如く、小梁２の取付部材３の上下の取付片を、大梁１の上下のフランジにボルト４で接合することも考えられる。ところが、大梁１の下フランジの下にボルト４の頭が突出し、このボルト４の頭が基礎や下階天井梁等の他の部材５の上面に干渉する不都合を生ずる。
【０００６】
本発明の課題は、建物の大梁に小梁を取付けるに際し、他の部材に干渉することなく、それらをボルト接合することにある。
【課題を解決するための手段】
【０００７】
請求項１の発明は、建物の大梁に小梁を取付ける小梁取付構造において、小梁の取付端に溶接固定した取付部材を大梁の垂直面にボルト接合し、前記取付部材が大梁の垂直面にボルト接合される取付片と、取付片の下端から水平に延びる下支持片と、取付片の上端から水平に延びる上支持片とを有し、小梁の取付端が取付部材の下支持片の上に載る水平片と、水平片の両側から立上がって取付部材の上支持片を両側から挟み込む両側の立上り片とを有し、小梁の両側の立上り片の下端部の外面を取付部材の下支持片の上面に溶接固定するとともに、小梁の両側の立上り片の上端側の内面を取付部材の上支持片の上面に溶接固定するようにしたものである。
【０００８】
請求項２の発明は、請求項１の発明において更に、前記小梁が角鋼管からなり、該角鋼管の端部の概ね上半部を削除して前記取付端を形成するようにしたものである。
【０００９】
請求項３の発明は、請求項１又は２の発明において更に、前記大梁が形鋼からなり、前記取付部材が該形鋼のウエブにボルト接合されるようにしたものである。
【００１０】
請求項４の発明は、請求項１〜３のいずれかの発明において更に、前記小梁の取付端が取付部材の取付片に対する取付間隔が、大梁に対する小梁の取付位置調整代とされてなるようにしたものである。
【００１１】
請求項５の発明は、請求項１〜４のいずれかの発明において更に、前記大梁及び小梁が建物ユニットを構成するようにしたものである。
【発明の効果】
【００１５】
（請求項１）
(a)小梁の取付端に溶接固定した取付部材を大梁の垂直面にボルト接合した。小梁を大梁にボルト接合し、溶接固定するものでないから、大梁が溶接に伴なう熱影響で変形することを防止できる。また、ボルトは大梁の垂直面に接合されるから、ボルトが大梁の上下に配置される他の部材に干渉することがない。
【００１６】
(b)小梁の取付端の水平片を取付部材の下支持片の上に載せ、両側の立上り片で取付部材の上支持片を挟み込む状態で、小梁の両側の立上り片の下端部の外面を取付部材の下支持片の上面に溶接固定するとともに、小梁の両側の立上り片の上端側の内面を取付部材の上支持片の上面に溶接固定する。従って、小梁の取付端と取付部材が安定的に位置合せされた状態で閉じ断面を形成するように溶接固定化され、小梁の取付端を小型にしながら、その強度（断面性能）を低下させず、取付部材に強固に溶接固定できる。
【００１７】
（請求項２）
(c)角鋼管からなる小梁の端部の概ね上半部を削除することにより、上述(b)の小梁の取付端を簡易に形成できる。
【００１８】
（請求項３）
(d)小梁の取付端に溶接固定した取付部材を形鋼からなる大梁のウエブに安定的にボルト接合できる。
【００１９】
（請求項４）
(e)相対する大梁の間に小梁を架け渡すに際し、大梁の板厚が変化すると、小梁が配置される大梁の内法間隔が変動し、大梁に対する小梁の取付位置が変動することになる。本発明では、小梁の取付端が取付部材の取付片に対する取付間隔を調整代とすることにより、一定長の小梁を用いながら、大梁に対する小梁の取付位置を簡易に調整できる。
【００２０】
（請求項５）
(f)建物ユニットの大梁に小梁を取付けるに際し、上述(a)〜(e)を実現できる。
【発明を実施するための最良の形態】
【００２１】
図１は建物ユニットを示す斜視図、図２は小梁の取付構造を示す断面図、図３は大梁を示し、（Ａ）は正面図、（Ｂ）は端面図、図４は小梁の取付端を示し、（Ａ）は正面図、（Ｂ）は平面図、（Ｃ）は端面図、図５は取付部材を示し、（Ａ）は正面図、（Ｂ）は平面図、（Ｃ）は端面図、図６は小梁に取付部材を溶接する手順を示す正面図、図７は小梁の取付位置調整代を示し、（Ａ）は大梁の板厚が大きい場合を示す正面図、（Ｂ）は大梁の板厚が小さい場合を示す正面図、図８は従来例を示す正面図、図９は参考例を示す正面図である。
【実施例】
【００２２】
本発明を建物ユニット１０に適用した例について説明する。本実施例の建物ユニット１０は、図１に示す如く、４本の角鋼管製柱１１の下端部間にＣ形鋼製床梁２１を架け渡すとともに、それら柱１１の上端部間にＣ形鋼製天井梁３１を架け渡した箱形骨組構造体である。そして、建物ユニット１０は、相対する床大梁２１に角鋼管製床小梁２２が取付部材２３を介して架け渡され、床小梁２２の上面に不図示の床根太、床面材が設けられる。また、建物ユニット１０は、相対する天井大梁３１に天井根太３２が架け渡され、天井根太３２の下面に不図示の天井面材が設けられる。
【００２３】
建物ユニット１０は、図２に示す如く、床小梁２２の左右の取付端に溶接固定した取付部材２２を、相対する床大梁２２の垂直面２１Ａ（床大梁２１のウエブにおいて建物ユニット１０の内部に臨む内側面）に、上下２本のボルト２４でボルト接合される。
【００２４】
床大梁２１は、図２に示す如く、前述した如くのＣ形鋼からなり、該形鋼のウエブに取付部材２３がボルト２４でボルト接合される。ボルト２４は、座金２５を介して、床大梁２１のウエブの外側面から、床大梁２１のボルト挿通孔２４Ａ、取付部材２３のボルト挿通孔２４Ｂに挿入され、その挿入端にナット２６を螺着されて床大梁２１に取付部材２３を締結する。
【００２５】
床小梁２２は、図２〜図４に示す如く、前述した如くの角鋼管からなり、該角鋼管の端部の概ね上半部Ａ（角鋼管の上面の全部及び両側面の上寄り部）を削除して前述の取付端を形成する。
【００２６】
取付部材２３は、図２、図５に示す如く、正面視で概ねコの字状をなし、床大梁２１の垂直面（ウエブ）２１Ａにボルト接合される取付片２３Ａと、取付片２３Ａの下端から水平に延びる下支持片２３Ｂと、取付片２３Ａの上端から水平に延びる上支持片２３Ｃとを有する。取付片２３Ａの上下２位置には前述したボルト挿通孔２４Ｂが穿設されている。下支持片２３Ｂは取付片２３Ａと同一巾とされ、上支持片２３Ｃは取付片２３Ａより狭巾とされる。
【００２７】
床小梁２２の取付端は、前述した如くに角鋼管の端部の概ね上半部Ａを削除されていて、取付部材２３の下支持片２３Ｂの上に載る水平片２２Ａと、水平片２２Ａの両側から立上がって取付部材２３の上支持片２３Ｃを両側から挟み込む両側の立上り片２２Ｂとを有する。取付部材２３の下支持片２３Ｂは床小梁２２の両側立上り片２２Ｂの外法巾（角鋼管の外巾）より広巾とされ、取付部材２３の上支持片２３Ｃは床小梁２２の両側立上り片２２Ｂの内法巾（角鋼管の内巾）よりわずかに狭巾とされる。
【００２８】
床小梁２２の取付端への取付部材２３の溶接手順は以下の如くになる（図６）。
(1)床小梁２２の取付端の水平片２２Ａを取付部材２３の下支持片２３Ｂの上に載せ、両側の立上り片２２Ｂで取付部材２３の上支持片２３Ｃを挟み込む。このとき、床小梁２２の取付端が取付部材２３の取付片２３Ａに対する取付間隔Ｋを、後述する、床大梁２１に対する床小梁２２の取付位置調整代とする。
【００２９】
(2)床小梁２２の両側の立上り片２２Ｂの下端部の外面を取付部材２３の下支持片２３Ｂの上面に、溶接部２７Ａで溶接固定する。次いで、床小梁２２の両側の立上り片２２Ｂの上端側の内面を取付部材２３の上支持片２３Ｃの上面に、溶接部２７Ｂで溶接固定する。
【００３０】
従って、建物ユニット１０にあっては、床小梁２２の左右の取付端に上述の如くに溶接固定した取付部材２３の取付片２３Ａを、相対する床大梁２１の垂直面（床大梁２１のウエブの内側面）２１Ａに当て、それら床大梁２１と取付部材２３をボルト２４によりボルト接合することにて、床大梁２１に床小梁２２及び取付部材２３を取付けできる。
【００３１】
建物ユニット１０の品種変更により、床大梁２１の板厚が変化しても、建物ユニット１０の相対する床大梁２１の各ウエブ外側面がなす外法間隔Ｌ1は一定とされ、それら床大梁２１の各ウエブ内側面がなす内法間隔Ｌ2は変動し、結果として床大梁２１に対する床小梁２２の取付位置が変動することになる。本実施例では、床小梁２２の取付端が取付部材２３の取付片２３Ａに対する取付間隔Ｋを、床大梁２１に対する床小梁２２の取付位置調整代とし、床大梁２１に対する床小梁２２の取付位置の変動分をこの調整代Ｋの増減により吸収可能にする。図７（Ａ）は床大梁２１の板厚が大きく、取付間隔Ｋを減少させた場合、図７（Ｂ）は床大梁２１の板厚が小さく取付間隔Ｋを増加させた場合を示す。
【００３２】
本実施例によれば以下の作用効果を奏する。
(a)床小梁２２の取付端に溶接固定した取付部材２３を床大梁２１の垂直面２１Ａにボルト接合した。床小梁２２を床大梁２１にボルト接合し、溶接固定するものでないから、床大梁２１が溶接に伴なう熱影響で変形することを防止できる。また、ボルト２４は床大梁２１の垂直面２１Ａに接合されるから、ボルト２４が床大梁２１の上下に配置される他の部材に干渉することがない。
【００３３】
(b)床小梁２２の取付端の水平片２２Ａを取付部材２３の下支持片２３Ｂの上に載せ、両側の立上り片２２Ｂで取付部材２３の上支持片２３Ｃを挟み込む状態で、床小梁２２の両側の立上り片２２Ｂの下端部の外面を取付部材２３の下支持片２３Ｂの上面に溶接固定するとともに、床小梁２２の両側の立上り片２２Ｂの上端側の内面を取付部材２３の上支持片２３Ｃの上面に溶接固定する。従って、床小梁２２の取付端と取付部材２３が安定的に位置合せされた状態で閉じ断面を形成するように溶接固定化され、床小梁２２の取付端を小型にしながら、その強度（断面性能）を低下させず、取付部材２３に強固に溶接固定できる。
【００３４】
(c)角鋼管からなる床小梁２２の端部の概ね上半部Ａを削除することにより、上述(b)の床小梁２２の取付端を簡易に形成できる。
【００３５】
(d)床小梁２２の取付端に溶接固定した取付部材２３を形鋼からなる床大梁２１のウエブ２１Ａに安定的にボルト接合できる。
【００３６】
(e)相対する床大梁２１の間に床小梁２２を架け渡すに際し、床大梁２１の板厚が変化すると、床小梁２２が配置される床大梁２１の内法間隔が変動し、床大梁２１に対する床小梁２２の取付位置が変動することになる。本発明では、床小梁２２の取付端が取付部材２３の取付片２３Ａに対する取付間隔Ｋを調整代とすることにより、一定長の床小梁２２を用いながら、床大梁２１に対する床小梁２２の取付位置を簡易に調整できる。
【００３７】
(f)建物ユニット１０の床大梁２１に床小梁２２を取付けるに際し、上述(a)〜(e)を実現できる。
【００３８】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は建物ユニットに限らず、広く一般の建物の大梁に、小梁を取付けるに際し、小梁の取付端に溶接固定した取付部材を大梁の垂直面にボルト接合する如くに適用できる。
【図面の簡単な説明】
【００３９】
【図１】図１は建物ユニットを示す斜視図である。
【図２】図２は小梁の取付構造を示す断面図である。
【図３】図３は大梁を示し、（Ａ）は正面図、（Ｂ）は端面図である。
【図４】図４は小梁の取付端を示し、（Ａ）は正面図、（Ｂ）は平面図、（Ｃ）は端面図である。
【図５】図５は取付部材を示し、（Ａ）は正面図、（Ｂ）は平面図、（Ｃ）は端面図である。
【図６】図６は小梁に取付部材を溶接する手順を示す正面図である。
【図７】図７は小梁の取付位置調整代を示し、（Ａ）は大梁の板厚が大きい場合を示す正面図、（Ｂ）は大梁の板厚が小さい場合を示す正面図である。
【図８】図８は従来例を示す正面図である。
【図９】図９は参考例を示す正面図である。
【符号の説明】
【００４０】
１０  建物ユニット
２１  床大梁（大梁）
２１Ａ  垂直面（ウエブ）
２２  床小梁（小梁）
２２Ａ  水平片
２２Ｂ  立上り片
２３  取付部材
２３Ａ  取付片
２３Ｂ  下支持片
２３Ｃ  上支持片
２４  ボルト
２７Ａ、２７Ｂ  溶接部
【図１】
0004758751.tif 000002
【図２】
0004758751.tif 000003
【図３】
0004758751.tif 000004
【図４】
0004758751.tif 000005
【図５】
0004758751.tif 000006
【図６】
0004758751.tif 000007
【図７】
0004758751.tif 000008
【図８】
0004758751.tif 000009
【図９】
0004758751.tif 000010